(57)【要約】【課題】  組み合わせが簡単で、接続箇所から水や雑多な物質が入り難いプラスチック床材を提供する。【解決手段】矩形の本体を含んでなり、本体の隣接する両側面にはそれぞれ外方向に向けて突出した長い棒状の第一、第二端縁部が一体に形成して設けられ、該第一、第二端縁部の外側に垂直な上方向にそれぞれ凸状の第一、第二接続部が設けられ、本体の別の隣接する両側面には第一、第二端縁部に合わせて一体に形成された第一、第二凹端縁部が設けられ、該第一、第二凹端縁部の内側には第一、第二接続部に対応した凹溝状の第一、第二被接続部が形成され、隣接する二つの本体の間を第一、第二接続部と、第一、第二被接続部が互いに垂直に接続することを介して連接して位置決めする。【選択図】図４
0003173625.tif 000002
【実用新案登録請求の範囲】
【請求項１】
矩形の本体を含んでなり、
該本体の隣接する両側面にはそれぞれ外方向に向けて突出した長い棒状の第一、第二端縁部が一体に形成して設けられ、該第一、第二端縁部の外側に垂直な上方向にそれぞれ凸状の第一、第二接続部が設けられ、本体の別の隣接する両側面には第一、第二端縁部に合わせて一体に形成された第一、第二凹端縁部が設けられ、該第一、第二凹端縁部の内側には第一、第二接続部に対応した凹溝状の第一、第二被接続部が形成され、隣接する二つの本体の間を第一、第二接続部と、第一、第二被接続部が互いに垂直に接続することを介して連接して位置決めすることを特徴とするプラスチック床材。
【請求項２】
前記本体が、表面にパネル板を接続して形成することを特徴とする請求項１に記載のプラスチック床材。
【請求項３】
前記パネル板が、本体表面の設置槽内に凹設することを特徴とする請求項１に記載のプラスチック床材。
【請求項４】
前記本体が、底面に緩衝パッドを設けてなることを特徴とする請求項１から３に記載のプラスチック床材。
【考案の詳細な説明】
【技術分野】
【０００１】
この考案は、床材に関し、特に建築材料として床面に組み合わせて敷設されるプラスチック床材に関する。
【背景技術】
【０００２】
床材は、建築で装飾に使用される材料の一つである。床材は種類が多く、最もよく見かける材料にはタイル、ＰＶＣ（ポリ塩化ビニル）などがある。
【０００３】
前述の床材は敷設する場合に、地面を平らに整え、セメント、或いは接着剤などを塗布する必要があるため、施工における作業が非常に面倒であった。
【０００４】
前述の問題を解決するため、多種多様な接続式の床材が開発された。
【０００５】
中華民国特許登録番号ＣＮ２０１０８３００６Ｙ号は、高さを具えた底座を設けた木製のプラスチック床材である。
【０００６】
図１、図２に開示するように、該床材は、それぞれの床材の内側に複数の接続孔０１１を具えた底座０１を設けてなる。
【０００７】
また、複数の両側に接続柱０２１を備えた接続部材０２を具えてなる。
【０００８】
組み合わせる場合、接続部材０２両側の接続端ら０２１をそれぞれ二つの隣接する床材の底座０１上の接続孔０１１内に嵌合すれば、隣接する二つの床材を接続することができる。
【０００９】
この床材は組み合わせが簡単であるが、底座０１と接続部材０２とが別に設けられているため、接続部材０２を単独で生産しなければならない。
【００１０】
よって、生産コストが高く、且つ、接続部材０２の数も比較的多くなるため、遺失し易く、床材を組み合わせるために携帯しなければならず実用的ではなかった。
【００１１】
また、該床材を組み合わせた後、隣接するそれぞれの床板の間には比較的長い接続部が形成され、水や其の他雑多な物質が該接続部から床材の底部に進入、浸み込み易い。
【００１２】
このため、使用期間が長くなると、細菌が繁殖し、床材が腐り易いため、常に清潔な状態に保たなければ、使用寿命に影響がある。
【００１３】
此の他、床材が木製であるため、弾性に乏しく、接続部材０２の接続柱０２１と、底座０１上の接続孔０１１とが緊密に固定されず、緩み易い。
【００１４】
中華民国特許登録番号ＣＮ２５２３８４７Ｙ号は、複合タイルの床材であって、図３に開示するように、底部パッド０３の周囲の隣接する両側辺上にそれぞれ嵌合溝上の接続部０３１と、Ｌ字上に突出したフック部０３２とを具えてなる。
【００１５】
隣接する二つの床材の接続部０３１とフック部０３２とを互いに嵌合して連接する。
【００１６】
上述の床材の接続部０３１とフック部０３２と底部パッド０３とは一体に成形されているため、生産コストを抑えることができる。
【００１７】
しかしながら、前述の床材と同様に、接続した後、隣接する床材との間に比較的長い接続部が形成され、水や其の他雑多な物質が床材の底部に進入、浸み込み易いという問題がある。
【先行技術文献】
【特許文献】
【００１８】
【特許文献１】中華民国特許登録番号ＣＮ２０１０８３００６Ｙ号
【特許文献２】中華民国特許登録番号ＣＮ２５２３８４７Ｙ号
【考案の開示】
【考案が解決しようとする課題】
【００１９】
この考案は、組み合わせが簡単で、接続箇所から水や雑多な物質が入り難いプラスチック床材を提供することを課題とする。
【課題を解決するための手段】
【００２０】
そこで、本考案の考案者は従来の技術に見られる欠点に鑑みて鋭意研究を重ねた結果、矩形の本体を含んでなり、
該本体の隣接する両側面にはそれぞれ外方向に向けて突出した長い棒状の第一、第二端縁部が一体に形成して設けられ、該第一、第二端縁部の外側に垂直な上方向にそれぞれ凸状の第一、第二接続部が設けられ、本体の別の隣接する両側面には第一、第二端縁部に合わせて一体に形成された第一、第二凹端縁部が設けられ、該第一、第二凹端縁部の内側には第一、第二接続部に対応した凹溝状の第一、第二被接続部が形成され、隣接する二つの本体の間を第一、第二接続部と、第一、第二被接続部が互いに垂直に接続することを介して連接して位置決めする。
【００２１】
以下、この考案について具体的に説明する。
請求項１に記載するプラスチック床材は、矩形の本体を含んでなり、
該本体の隣接する両側面にはそれぞれ外方向に向けて突出した長い棒状の第一、第二端縁部が一体に形成して設けられ、該第一、第二端縁部の外側に垂直な上方向にそれぞれ凸状の第一、第二接続部が設けられ、本体の別の隣接する両側面には第一、第二端縁部に合わせて一体に形成された第一、第二凹端縁部が設けられ、該第一、第二凹端縁部の内側には第一、第二接続部に対応した凹溝状の第一、第二被接続部が形成され、隣接する二つの本体の間を第一、第二接続部と、第一、第二被接続部が互いに垂直に接続することを介して連接して位置決めする。
【００２２】
請求項２に記載のプラスチック床材は、請求項１における本体が、表面にパネル板を接続して形成する。
【００２３】
請求項３に記載のプラスチック床材は、請求項１におけるパネル板が、本体表面の設置槽内に凹設する。
【００２４】
請求項４に記載のプラスチック床材は、請求項１から３における本体が、底面に緩衝パッドを設けてなる。
【考案の効果】
【００２５】
この考案のプラスチック床材は、構造が簡単なため生産コストを抑えることができ、水や雑多な物質の進入を防ぐため使用寿命を延長することができて実用的であるという効果を有する。
【図面の簡単な説明】
【００２６】
【図１】従来のプラスチック床材を組み合わせた状態を示した斜視図である。
【図２】図１に開示するプラスチック床材の底面の一部を示した分解図である。
【図３】従来のプラスチック床材の他の実施形態を示した説明図である。
【図４】この考案のプラスチック床材を示した分解図である。
【図５】この考案のプラスチック床材を別の角度から示した分解図である。
【図６】この考案のプラスチック床材と端縁部を示した断面図である。
【図７】この考案のプラスチック床材を組み合わせた状態を示した断面図である。
【図８】この考案のプラスチック床材の他の実施形態を示した分解図である。
【図９】図８に開示するプラスチック床材を示した説明図である。
【図１０】図８に開示するプラスチック床材を別の角度から示した説明図である。
【図１１】図８に開示するプラスチック床材を組み合わせた状態を示した斜視図である。
【図１２】図８に開示するプラスチック床材にパネル板を組み合わせた状態を示した斜視図である。
【図１３】この考案のプラスチック床材のその他の実施形態を示した説明図である。
【図１４】この考案のプラスチック床材のその他の実施形態を示した説明図である。
【考案を実施するための形態】
【００２７】
この考案は、組み合わせが簡単で、接続箇所から水や雑多な物質が入り難いプラスチック床材であって、矩形の本体を含んでなり、該本体の隣接する両側面にはそれぞれ外方向に向けて突出した長い棒状の第一、第二端縁部が一体に形成して設けられ、該第一、第二端縁部の外側に垂直な上方向にそれぞれ凸状の第一、第二接続部が設けられ、本体の別の隣接する両側面には第一、第二端縁部に合わせて一体に形成された第一、第二凹端縁部が設けられ、該第一、第二凹端縁部の内側には第一、第二接続部に対応した凹溝状の第一、第二被接続部が形成され、隣接する二つの本体の間を第一、第二接続部と、第一、第二被接続部が互いに垂直に接続することを介して連接して位置決めする。
かかるプラスチック床材の構造と特徴を詳述するために具体的な実施例を挙げ、図示を参照にして以下に説明する。
【実施例】
【００２８】
図４から図７は、この考案のプラスチック床材を示したものである。
【００２９】
図面によれば、この発明のプラスチック床材は、本体１０と、パネル板２０と、不織布から形成された緩衝パッド３０とを含んでなる。
【００３０】
該本体１０は、表面に設置槽１０１を設けてなる。該設置槽１０１は底部に中空の孔を具えた槽１０２を具えてなる。
【００３１】
前述の構造は本体１０の強度を高めるだけでなく、本体材料のコストを低減するとともに、本体１０の重量も抑えることができる。
【００３２】
パネル板２０は、設置槽１０１内で嵌合自在に設けられ、必要に応じてパネル板２０を交換するために便利である。
【００３３】
該パネル板2０は、方形のプラスチック床材で、人造石、ＰＶＣ、タイルなどから形成する。
【００３４】
パネル板２０は本体１０の表面に直接貼着して設けるか、或いはパネル板２０を必要とせず、本体１０表面を平面状に加工してもよい。
【００３５】
緩衝パッド３０は、本体１０の底部に粘着して設けるため、プラスチック床材が耐震性、緩衝性を具えてなる。
【００３６】
本体１０の隣接する両側下端にはそれぞれ外側に向けて長い棒状の第一、第二端縁部１１、１２が突出して設けられる。
【００３７】
該第一、第二端縁部１１、１２の外側端縁部には垂直に上方に向けてそれぞれ第一、第二接続部４１、４２が形成される。
【００３８】
本体１０の別の隣接する両側には第一、第二端縁部１１、１２にあわせて第一、第二凹端縁部１３、１４が設けられる。
【００３９】
第一、第二凹端縁部１３、１４の高さは、第一、第二端縁部１１、１２と同様に形成され、組み合わせると、二つの本体１０の上下表面が平らになるように接続することができる。
【００４０】
第一、第二凹端縁部１３、１４の内側端縁部には第一、第二接続部４１、４２に対応して第一、第二被接続部４３、４４が設けられる。
【００４１】
隣接する二つの本体１０の間は第一、第二接続部４１、４２と、第一、第二被接続部４３、４４とを互いに垂直に組み合わせて位置決めして接続する。
【００４２】
この考案の実施形態において、第一、第二接続部４１、４２は連続して突出した棒状で、第一、第二被接続部４３、４４は連続した凹溝である。
【００４３】
第一、第二接続部４１、４２と、第一、第二被接続部４３、４４の長さはそれぞれ第一、第二延伸端縁部１１、１２の長さと同じに形成される。
【００４４】
この考案のプラスチック床材は隣接するプラスチック床材を接続した後、図６に開示するように、二種類の端縁棒５０、５１を利用して組み合わせたプラスチック床材の外側を装飾し、下方に傾斜した装飾端縁部を設けることができる。
【００４５】
よって、プラスチック床材の美観を高めるだけでなく、歩行者がつまずくことを防ぐこともできる。
【００４６】
端縁棒５０、５１の一側面にはそれぞれフック５０１と、溝５１１が形成され、プラスチック床材の最も外側の本体１０の第一、第二接続部４１、４２及び第一、第二被接続部４３、４４と互いに接続することができる。
【００４７】
上述の実施形態では、第一、第二端縁部１、１２が連接しない。第一、第二凹端縁部１３、１４も連接しない。
【００４８】
複数のプラスチック床材を組み合わせた後、隣接する二つの床板の間の接続部は殆どが長い棒状の第一、第二端縁部１１、１２によって隠れた状態になるが、プラスチック床材の四隅の部分の接続部が第一、第二端縁部１１、１２で被覆することができない。
【００４９】
図８から図１０に開示するように、第一、第二端縁部１１、１２が一体に連接し、第一、第二凹端縁部１３、１４も互いに一体に連接して形成される。
【００５０】
第一、第二端縁部１１、１２と、第一、第二凹端縁部１３、１４の長さはそれぞれプラスチック床材の本体１０の側面の長さと同様に形成される。
【００５１】
前述のプラスチック床材を組み合わせた後、隣接するプラスチック床材の間の接続部がすべて第一、第二端縁部１１、１２に被覆されて最も好ましい状態になる。
【００５２】
連続して突出した棒状の第一、第二接続部４１、４２は図９、図１０に開示するように、連接しない。
【００５３】
この場合、第一接続部４１の残後両端は第一端縁部１１の前後両端において平らに形成される。第二接続部４２の前端と第二端縁部１２前端が平らになるが、その後端と、第二端縁部１２の後端との距離は第一端縁部１１の幅と同じ距離を具えてなる。
【００５４】
連続した凹溝状の第一被接続部４３の長さと本体１０側面の長さは同様に形成される。第二被接続部４４の長さは本体１０側面の長さよりも短く形成され、両者の間の長さの差は第一端縁部１１の幅に等しく形成される。
【００５５】
図１１、図１２に開示するように、プラスチック床材を施工する場合、本体１０を床上に敷設するとともに、隣接するそれぞれの本体１０を第一、第二接続部４１、４２と第一、第二被接続部４３、４４とを合わせることで一体に連接する。
【００５６】
最後にパネル板３０を本体１０上端の設置槽１０１内に設ければよいため、非常に便利である。
【００５７】
図１３に開示する実施形態のように、第一、第二接続部４１、４２の長さを本体１０の側面の長さよりも短く形成する。
【００５８】
両者の長さの差は端縁部１１の幅に等しくなるように形成する。
【００５９】
また、第一、第二被接続部４３、４４の長さを本体１０の側面の長さよりも短く形成する。両差の長さの差が端縁部１３の幅に等しくなるように形成する。
【００６０】
第一、第二端縁部１１、１２が連接する部分には立方体の凸部４５が設けられる。該凸部４５の高さと第一、第二接続部４１、４２の高さは等しく形成される。
【００６１】
第一、第二凹端縁部１３、１４が連接する部分には立方体の凸部４６が設けられる。該凸部の高さと第一、第二被接続部４３、４４の高さは等しく形成される。
【００６２】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案請求の範囲に属するものとする。
【符号の説明】
【００６３】
１０        本体
１０１      設置槽
１０２      槽
１１        第一端縁部
１２        第二端縁部
１３        第一凹端縁部
１４        第二凹端縁部
２０        パネル板
３０        緩衝パッド
４１        第一接続部
４２        第二接続部
４３        第一被接続部
４４        第二被接続部
４５        凸部
４６        凸部
５０、５１  端縁棒
５０１      フック
５１１      溝
【図１】
0003173625.tif 000003
【図２】
0003173625.tif 000004
【図３】
0003173625.tif 000005
【図４】
0003173625.tif 000006
【図５】
0003173625.tif 000007
【図６】
0003173625.tif 000008
【図７】
0003173625.tif 000009
【図８】
0003173625.tif 000010
【図９】
0003173625.tif 000011
【図１０】
0003173625.tif 000012
【図１１】
0003173625.tif 000013
【図１２】
0003173625.tif 000014
【図１３】
0003173625.tif 000015
【図１４】
0003173625.tif 000016
【手続補正書】
【提出日】平成23年6月28日(2011.6.28)
【手続補正１】
【補正対象書類名】図面
【補正対象項目名】図１４
【補正方法】削除
【補正の内容】
【手続補正書】
【提出日】平成24年1月5日(2012.1.5)
【手続補正１】
【補正対象書類名】手続補正書
【補正対象項目名】手続補正２
【補正方法】追加
【補正の内容】
【手続補正２】
【補正対象書類名】明細書
【補正対象項目名】図面の簡単な説明
【補正方法】変更
【補正の内容】
【図面の簡単な説明】
【００２６】
【図１】  従来のプラスチック床材を組み合わせた状態を示した斜視図である。
【図２】  図１に開示するプラスチック床材の底面の一部を示した分解図である。
【図３】  従来のプラスチック床材の他の実施形態を示した説明図である。
【図４】  この考案のプラスチック床材を示した分解図である。
【図５】  この考案のプラスチック床材を別の角度から示した分解図である。
【図６】  この考案のプラスチック床材と端縁部を示した断面図である。
【図７】  この考案のプラスチック床材を組み合わせた状態を示した断面図である。
【図８】  この考案のプラスチック床材の他の実施形態を示した分解図である。
【図９】  図８に開示するプラスチック床材を示した説明図である。
【図１０】図８に開示するプラスチック床材を別の角度から示した説明図である。
【図１１】図８に開示するプラスチック床材を組み合わせた状態を示した斜視図である。
【図１２】図８に開示するプラスチック床材にパネル板を組み合わせた状態を示した斜視図である。
【図１３】この考案のプラスチック床材のその他の実施形態を示した説明図である。